(57)【特許請求の範囲】
【請求項１】
発信番号表示サービスを提供する公衆通信網に接続される構内交換機であって、
前記公衆通信網に接続される局線トランクと、
前記公衆通信網が送出する被変調発信番号情報を受信し、これをディジタルデータに変換すると共に、該ディジタルデータを送出する情報変換装置と、
内線端末装置を接続する内線回路と、
前記局線トランク、前記情報変換装置および前記内線回路を収容して交換接続する交換接続網と、
前記公衆通信網から前記局線トランクへの着信を検出したとき、前記公衆通信網から得た着信信号により、該着信が発信番号表示サービスを伴わない第１着信か、または発信番号表示サービスを伴う第２着信かを判別する判別手段と、
前記判別手段が、前記第１着信と判別したときには、発信番号表示を伴わず前記内線端末装置を呼び出す第１着信制御手段と、
前記判別手段が、前記第２着信と判別したときには、前記局線トランクと前記情報変換装置とを接続するように、前記交換接続網を制御する接続制御手段と、
前記局線トランクと前記情報変換装置とが接続され、前記情報変換装置が前記公衆通信網から前記被変調発信番号情報を受信し、該情報変換装置から前記ディジタルデータを得ると、該ディジタルデータを記憶する記憶装置と、
前記記憶装置に記憶されたディジタルデータを前記内線端末装置に送出して、該内線電話機に発信番号を表示させると共に、該内線電話機を呼び出す第２着信制御手段と、
を備えたことを特徴とする発信番号表示機能を有する構内交換機。
【発明の詳細な説明】
【０００１】
【発明が属する技術分野】
本発明は、発信番号表示サービスを提供する公衆通信網に接続される構内交換機に関する。
【０００２】
【従来の技術】
従来、発信番号表示サービスを提供する公衆通信網に接続された加入電話機から発信された呼の発信番号を、構内交換機を通して接続された内線電話機に表示する場合、図５に示す様に発信加入電話機３の発信番号は、発信番号表示サービスを提供する公衆通信網２によって構内交換機１の局線トランク１―２に被変調発信番号情報として送られ、局線トランク１―２では発信番号表示サービスによる着信であるかどうかを判別し、発信番号表示サービスによる着信であることを検出した場合には、局線トランク１―２に対応して設けられた情報変換装置１―３によって受信した被変調発信番号情報をディジタル発信番号情報データに変換し、中央処理装置１―４が記憶装置１―５内の交換プログラムによって前記局線トランク１―２と内線回路１―６を交換接続網１―１によって接続した後、発信番号情報を、局線トランク１―２から交換接続網１―１、内線回路１―６を経由して発信番号表示機能をもつ内線電話機４に、ディジタル発信番号情報データとして送っていた。
【０００３】
【発明が解決しようとする課題】
しかしながら、上記のような従来の方式では、被変調発信番号情報をディジタル発信番号情報データに変換するモデムを備えた情報変換装置１―３は、構内交換機１への発信番号表示サービスを行う着信呼の接続時に必要なだけで、通話中は使われないにも拘わらず、情報変換装置１―３が局線トランク１―２対応に設けられるので、装置が大きくなり不経済であった。
【０００４】
本発明は、このような従来の課題を解決するためになされたもので、情報変換装置を局線トランクから切り離し、集中化することにより、装置の経済化を図るものである。
【０００５】
【課題を解決するための手段】
上記の課題を解決するために請求項１に記載の発明は、発信番号表示サービスを提供する公衆通信網に接続される構内交換機であって、前記公衆通信網に接続される局線トランクと、前記公衆通信網が送出する被変調発信番号情報を受信し、これをディジタルデータに変換すると共に、該ディジタルデータを送出する情報変換装置と、内線端末装置を接続する内線回路と、前記局線トランク、前記情報変換装置および前記内線回路を収容して交換接続する交換接続網と、前記公衆通信網から前記局線トランクへの着信を検出したとき、前記公衆通信網から得た着信信号により、該着信が発信番号表示サービスを伴わない第１着信か、または発信番号表示サービスを伴う第２着信かを判別する判別手段と、前記判別手段が、前記第１着信と判別したときには、発信番号表示を伴わず前記内線端末装置を呼び出す第１着信制御手段と、前記判別手段が、前記第２着信と判別したときには、前記局線トランクと前記情報変換装置とを接続するように、前記交換接続網を制御する接続制御手段と、前記局線トランクと前記情報変換装置とが接続され、前記情報変換装置が前記公衆通信網から前記被変調発信番号情報を受信し、該情報変換装置から前記ディジタルデータを得ると、該ディジタルデータを記憶する記憶装置と、前記記憶装置に記憶されたディジタルデータを前記内線端末装置に送出して、該内線電話機に発信番号を表示させると共に、該内線電話機を呼び出す第２着信制御手段とを備えたことを特徴とする。
【０００６】
本発明によれば、モデムを備えた情報変換装置が局線トランクに共通に設けられ、アナログ信号で変調された情報をディジタルデータに変換する呼量によって情報変換装置数を決めることができるので、情報変換装置の数を大幅に減少することができる。
【０００７】
【発明の実施の形態】
図１は、本発明の実施の形態を示すシステム構成図である。１は本発明による構内交換機、２は発信番号表示サービスを提供する公衆通信網、３は公衆通信網２に直接接続された加入電話機、４は構内交換機１に接続された発信番号表示機能を有する内線電話機である。
【０００８】
また、１―１から１―６は構内交換機１を構成する装置で、１―１は通話路の交換接続を行う交換接続網、１―２は発信番号表示サービスを提供する公衆通信網に接続される局線トランク、１―３は被変調発信番号情報をディジタル発信番号情報データに変換する情報変換装置、１―４は構内交換機を制御する中央処理装置、１―５は交換プログラム、局データ、内線データ、ディジタル発信番号情報データ等を記憶する記憶装置である。
【０００９】
１―６は発信番号表示機能をもった内線電話機又はファクシミリ装置からなる内線端末装置４と交換接続網１―１を接続する内線回路で、中央処理装置１―４の制御により、呼出信号やディジタル発信番号情報データを内線端末装置４に送出する機能を有する。
【００１０】
本発明の実施の形態における動作の説明では、公衆通信網２から構内交換機１へ着信があった時、交換手を介せず、着信した局線トランク１―２に対して予め決められた内線端末装置４に接続する場合を採り上げる。
【００１１】
交換手を介して接続する場合にも、本発明の効果には変わりがないので説明は省略する。
【００１２】
次に、図３、図４を参照しながら発信番号表示動作の概要を説明する。加入電話機３が発信し、構内交換機１の代表番号でない特定の局線トランク１―２の番号をダイヤルすると、発信番号表示サービスを提供する公衆通信網２が両者の間を接続する。
【００１３】
公衆通信網２は加入電話機３の指定により発信番号表示サービスを行う場合と行わない場合がある。図２（１）に示す如く、呼出信号（ＩＲ）（以下ＩＲ信号と呼ぶ）は日本においては１秒送出、２秒断のインターリンギングが用いられる。
【００１４】
発信番号表示サービスを行う場合には、呼出信号であるＩＲ信号の代わりに図２（２）に示す０．５秒送出、０．５秒断のリンギングである、ＩＤ受信端末起動信号（ＣＡＲ）（以下ＣＡＲ信号と呼ぶ）が送られてくる。
【００１５】
構内交換機１はこのＣＡＲ信号を発信番号表示サービスを提供する公衆通信網２から受信したことによって、発信番号表示サービスによる着信であることを知る。
【００１６】
以下の説明は発信番号表示を行う場合を中心に、図３および図4のシーケンス図によって説明する。
【００１７】
公衆通信網２から局線トランク１―２へ呼が着信した時、公衆通信網２では図３のステップ１０１に示す様に直流電源の極性を反転してくるので、局線トランク１―２はこの極性反転を検出することによって着信を知る。
【００１８】
続いて、公衆通信網２からは、ステップ１０２で、発信番号表示を行わない着信の場合は図2（１）に示したＩＲ信号が送られてくる。これに対して発信番号表示を行う場合には、ＩＲ信号の代わりに図２（２）に示したＣＡＲ信号が送られてくるので、局線トランク１―２は、ステップ１０３でどちらであるかを判定し、ＣＡＲ信号の場合には発信番号識別の動作に入る。
【００１９】
局線トランク１―２は、ステップ１０４で中央処理装置１―４へＣＡＲ信号による着信であることを通知し、これによって中央処理装置１―４は、ステップ１０５で空き情報変換装置１―３を捕捉し、交換接続網１―１を介して局線トランク１―２と接続する。
【００２０】
局線トランク１―２と情報変換装置１―３の接続が完了すると、中央処理装置１―４は、ステップ１０６で接続完了を局線トランク１―２へ通知する。
【００２１】
これによって局線トランク１―２は、ステップ１０７で公衆通信網２に対して直流ループを作って１次応答信号を返し、ＣＡＲ信号を受信して発信番号情報を受信できる状態になったことを知らせる。
【００２２】
公衆通信網２からは、ステップ１０８で被変調発信番号情報が送られてくる。
【００２３】
この信号は、局線トランク１―２、交換接続網１―１を通って、情報変換装置１―３のモデムで受信され、ステップ１０９でディジタル発信番号情報データに変換される。
【００２４】
情報変換装置１―３における変換が完了したことにより、ステップ１１０で変換完了を中央処理装置１―４に知らせる。
【００２５】
中央処理装置１―４は、情報変換装置１―３からディジタル発信番号情報データを受け取り、ステップ１１１で記憶装置１―５に記憶させる。
【００２６】
続いて、中央処理装置１―４は、ステップ１１２で局線トランク１―２と情報変換装置１―３の接続を開放し、ステップ１１３で発信番号の受信が完了したことを局線トランク１―２に知らせる。
【００２７】
局線トランク１―２は、ステップ１１４で公衆通信網２に対する直流ループを切断して、受信完了信号を返送する。
【００２８】
公衆通信網２では、この受信完了信号を受信すると、ステップ１１５でＩＲ信号を送出してくる。これはステップ１０２において、ＩＲ信号を受信した発信番号表示サービスを行わない場合と同じである。
【００２９】
局線トランク１―２はＩＲ信号を受信すると、ステップ１１６で中央処理装置１―４にＩＲによる着信があったことを通知する。
【００３０】
中央処理装置１―４はＩＲ着信の通知を受けると、ステップ１１７で該局線トランク１―２への着信呼を接続するように予め決められた内線端末装置４へ、前記記憶装置１―５に記憶されたディジタル発信番号情報データを、内線回路１―６経由で転送する。
【００３１】
内線端末装置４は、ステップ１１８で転送されたディジタル発信番号情報データを発信番号表示器に表示する。
【００３２】
中央処理装置１―４は続いて、ステップ１１９で内線回路１―６にＩＲ送出指示を行い、内線回路１―６から内線端末装置４にＩＲ信号が送出され、電話機のベルが鳴動する。
【００３３】
内線端末装置４が応答すると、ステップ１２０で応答信号が内線回路１―６経由で中央処理装置１―４に送られ、中央処理装置１―４は、ステップ１２１で該内線回路１―６と前記局線トランク１―２を接続し、ステップ１２２で応答信号を局線トランク１―２に転送する。
【００３４】
局線トランク１―２は、ステップ１２３で公衆通信網２に対し直流ループを作って２次応答信号を返す。発信番号表示サービスを行わない場合は、これが応答信号になる。
【００３５】
局線トランク１―２の直流ループを検出した公衆通信網２は、ステップ１２４で反転していた直流電源の極性を元に戻す。
【００３６】
これによって、公衆通信網２と内線端末装置４の間の通話路が完成し、通話状態に入る。
【００３７】
以上説明した様なシーケンスで、公衆通信網２から送られてくる加入電話機３の発信番号が、構内交換機１を経由して、内線端末装置４に表示される。
【００３８】
【発明の効果】
本発明によれば、構内交換機の局線トランク毎に設けられていた情報変換装置を、局線トランクから切り離して、情報の変換をする時のみ、中央処理装置の制御によって、交換接続網を介して局線トランクに接続することによって、機能の低下を招くことなく情報変換装置数を大幅に減少することが可能になり、発信番号表示機能を有する構内交換機の経済化が可能になる効果を有する。
【図面の簡単な説明】
【図１】本発明の実施の形態におけるシステム構成図である。
【図２】呼出信号（ＩＲ）とＩＤ受信端末起動信号（ＣＡＲ）の違いを示す時間関係の波形図である。
【図３】本発明の実施の形態における発信番号表示動作を示すシーケンス図の1部である。
【図４】本発明の実施の形態における発信番号表示動作を示すシーケンス図の1部である。
【図５】従来の実施の形態におけるシステム構成図である。
【符号の説明】
１        発信番号表示機能を有する構内交換機
１―１  交換接続網
１―２  局線トランク
１―３  情報変換装置
１―４  中央処理装置
１―５  記憶装置
１―６  内線回路
２        発信番号表示サービスを提供する公衆通信網
３        加入電話機
４        内線端末装置
【図１】
0003722953.tif 000002
【図２】
0003722953.tif 000003
【図３】
0003722953.tif 000004
【図４】
0003722953.tif 000005
【図５】
0003722953.tif 000006